(57)【要約】【課題】  施工性が向上したリレー駆動ユニット及びリレーユニットを提供する。【解決手段】  リレー駆動ユニットである子器１は、信号線に接続される信号線端子と、リレー２の被保持突起２１ａを係止する保持突起１１ｃと、リレー２の制御端子が接触導通するリレー端子５３とを有し、信号線端子に入力された制御信号に基いてリレー２を駆動する。さらに、子器１は、分電盤に直接固定される取付部１１を有する。分電盤への取り付けのために従来用いられていた取付板を取り付ける作業が不要となるから、施工性が向上する。【選択図】図１
2006331891.tif 000002
【特許請求の範囲】
【請求項１】
少なくとも一対の出力端子と、制御端子と、制御端子から入力された駆動信号に基いて出力端子間の電気的接続をオンオフする接点部とを有するリレーを駆動するリレー駆動ユニットであって、
信号線が電気的に接続される信号線端子と、分電盤に取り付けられる取付部と、リレーに設けられた被保持部に機械的に結合してリレーを保持する保持部と、保持部に保持されたリレーの制御端子に接触導通するリレー端子と、信号線端子に入力された制御信号に基いて駆動信号を生成してリレー端子から出力することにより、保持部に保持されたリレーを駆動する駆動部とを備えることを特長とするリレー駆動ユニット。
【請求項２】
請求項１記載のリレー駆動ユニットとリレーとからなり、
被保持部は、リレーの外面に突設されリレー端子に対する制御端子の接触方向に長い被保持突条と、被保持突条から被保持突条の短手方向の両側にそれぞれ突設された被保持突起とを有し、
保持部は、リレー端子に対する制御端子の接触方向に長く被保持突条が収納される保持溝と、保持溝の内面から保持溝の深さ方向に交差する方向に突設され被保持突起を係止する保持突起とを有し、
被保持部と保持部とは、リレー端子に制御端子が接触導通した状態で互いに係合してリレー端子が制御端子から離れる方向へのリレーの移動を禁止する係合部と被係合部との一方ずつを有することを特徴とするリレーユニット。
【発明の詳細な説明】
【技術分野】
【０００１】
本発明は、リレーを駆動するリレー駆動ユニット及びリレー駆動ユニットとリレーとからなるリレーユニットに関するものである。
【背景技術】
【０００２】
従来から、例えば壁スイッチのような操作端末器から信号線を介して送信された制御信号に基いて、負荷への給電をオンオフするリレーを駆動するリレー駆動ユニットが用いられている（例えば、特許文献１参照）。リレー駆動ユニットには、例えば図７に示すように、電源線Ｃを介して電源（図示せず）に接続される親器５ａと、信号線Ｌを介して親器５ａから電源を供給される子器５ｂとがある。
【０００３】
具体的に説明すると、リレー６は、それぞれ例えばねじ端子からなり負荷への給電路に挿入される少なくとも１対（図では２対）の出力端子６１と、複数個の制御端子６３（図１０参照）と、制御端子６３から入力された駆動信号によって駆動されて出力端子６１間の電気的接続をオンオフする接点部（図示せず）とを有する。
【０００４】
親器５ａ及び子器５ｂは、それぞれ、例えばねじ端子からなり信号線Ｌが接続される信号線端子５１と、リレー６に接続されるリレー端子５３（図１０参照）と、例えばマイクロコンピュータからなり信号線端子５１から入力された制御信号に基いた駆動信号を生成してリレー端子５３から出力することによりリレー６を駆動する駆動部（図示せず）とを有する。具体的に説明すると、駆動部は、制御信号に含まれるアドレスと負荷との対応関係を示すデータテーブルが格納されたメモリを有し、信号線端子５１に制御信号が入力されたとき、制御信号が自身に接続されたリレー６に対応する負荷に対するものであれば該リレー６を駆動することにより該負荷に対する給電をオンオフする。さらに、親器５ａは、２線の電源線を構成する電線Ｃがそれぞれ接続される２個と接地線Ｇが接続される１個との計３個の電線端子５５を有する。作業者が不用意に接触しないように、信号線端子５１及び電線端子５５と、リレー６の出力端子６１とは、それぞれ凹部５１ａ，５５ａ，６１内に設けられている。
【０００５】
親器５ａ、子器５ｂ及びリレー６は、それぞれ、予め分電盤ＤＢに取り付けられた取付板７に取り付けられることにより、分電盤ＤＢに取り付けられる。
【０００６】
図８及び図９を用い、上下方向は図を基準とし、図の左下―右上方向を前後方向と呼び、図の左上−右下方向を左右方向として具体的に説明する。取付板７は、それぞれ１個のリレー６に対応し複数個左右に並べて設けられた単位取付部７１を有する。各単位取付部７１は、それぞれ、分電盤ＤＢに設けられたねじ穴（図示せず）に螺合するねじＳＣが挿通される複数個（図では３個）のねじ挿通穴４３が上下に貫設されねじ挿通切り欠き４４が前端部に設けられた本体部４２と、本体部４２の中央部から上方に突設され前後一方に曲がった断面逆Ｌ字形状であって親器５ａ、子器５ｂ及びリレー６がそれぞれ載置される台座部４５と、本体部の後端部から上方へ突設され先部が前方へ曲がった係止部７１ａとを有する。親器５ａ及び子器５ｂは、それぞれ後面に設けられた係止穴（図示せず）に係止部７１ａが係止されることにより、取付板７に機械的に結合する。また、台座部４５により、親器５ａ、子器５ｂ及びリレー６の下面と取付板７の本体部４２及び分電盤ＤＢとの間に隙間が空き、放熱性が確保されている。
【０００７】
さらに、取付板７の前端部には、前方から見て下向きコ字形状であって上下方向での中央部が後方へ突出するように曲がり左右方向から見てく字形状となるように線材が曲げられてなる係止ばね４６が保持されている。リレー６の前面の下端部には、係止ばね４６が係入する係止穴６４が設けられている。また、親器５ａの突出部５４はリレー２個分の寸法を有し、突出部５４の前面にもそれぞれ係止ばね４６が係入する２個の係止穴５４ａが設けられている。
【０００８】
また、リレー端子５３は、親器５ａ及び子器５ｂの前面に設けられた接続凹部５２内に設けられ、リレー６の後面には、接続凹部５２よりも僅かに小さい寸法形状に形成された筒状の接続部６２が後方へ突設されている。
【０００９】
リレー６を親器５ａ、５ｂや子器に取り付けるには、図１０に示すように、分電盤ＤＢに固定された取付板７に親器５ａや子器５ｂを取り付けた状態で、リレー６の後端（図１０の右端部）をやや下方へ向けるように傾けて接続部６２を親器５ａ又は子器５ｂの接続凹部５２に導入しつつ、リレー６の前端部（図１０の左端部）を下方へ押し込む。すると、係止ばね４６が係止穴６４に係入する。ここにおいて、接続部６２が接続凹部５２に収納されることによりリレー６の上方への脱落が禁止され、係止ばね４６が係止穴６４に係入することによりリレー６の前方への脱落が禁止され、従ってリレー６は親器５ａ又は子器６ｂと取付板７とに保持される。また、この状態では、リレー６の制御端子６３は親器５ａ又は子器６ｂのリレー端子５３に接触導通する。ここで、リレー端子５３は制御端子６３を弾性的に挟持する形状となっており、リレー端子５３によってもリレー６に対する保持力が生じている。
【特許文献１】特開平７−３９０２１号公報
【発明の開示】
【発明が解決しようとする課題】
【００１０】
しかし、上記従来例では、親器５ａや子器５ｂを分電盤ＤＢに取り付ける際に、取付板７を分電盤ＤＢに固定する作業と、親器５ａや子器５ｂを取付板７に取り付ける作業とが別途に必要であった。
【００１１】
本発明は上記事由に鑑みて為されたものであり、その目的は、施工性が向上したリレー駆動ユニット及びリレーユニットを提供することにある。
【課題を解決するための手段】
【００１２】
請求項１の発明は、少なくとも一対の出力端子と、制御端子と、制御端子から入力された駆動信号に基いて出力端子間の電気的接続をオンオフする接点部とを有するリレーを駆動するリレー駆動ユニットであって、信号線が電気的に接続される信号線端子と、分電盤に取り付けられる取付部と、リレーに設けられた被保持部に機械的に結合してリレーを保持する保持部と、保持部に保持されたリレーの制御端子に接触導通するリレー端子と、信号線端子に入力された制御信号に基いて駆動信号を生成してリレー端子から出力することにより、保持部に保持されたリレーを駆動する駆動部とを備えることを特長とする。
【００１３】
この発明によれば、分電盤に取り付けられる取付部を設けたことにより、分電盤への取り付けのために従来用いられていた取付板を取り付ける作業が不要となるから、省施工化が可能となる。
【００１４】
請求項２の発明は、請求項１記載のリレー駆動ユニットとリレーとからなり、被保持部は、リレーの外面に突設されリレー端子に対する制御端子の接触方向に長い被保持突条と、被保持突条から被保持突条の短手方向の両側にそれぞれ突設された被保持突起とを有し、保持部は、リレー端子に対する制御端子の接触方向に長く被保持突条が収納される保持溝と、保持溝の内面から保持溝の深さ方向に交差する方向に突設され被保持突起を係止する保持突起とを有し、被保持部と保持部とは、リレー端子に制御端子が接触導通した状態で互いに係合してリレー端子が制御端子から離れる方向へのリレーの移動を禁止する係合部と被係合部との一方ずつを有することを特徴とする。
【発明の効果】
【００１５】
本発明によれば、分電盤に取り付けられる取付部を設けたことにより、分電盤への取り付けのために従来用いられていた取付板を取り付ける作業が不要となるから、省施工化が可能となる。
【発明を実施するための最良の形態】
【００１６】
以下、本発明を実施するための最良の形態について、図面を参照しながら説明する。
【００１７】
（実施形態１）
本実施形態は、扁平な形状であってそれぞれねじが挿通される複数個のねじ挿通穴１１ａがそれぞれ厚さ方向に貫設されて分電盤にねじ止め固定される取付部１１と、取付部１１の一面に突設されリレー端子５３が設けられ駆動部を収納した本体部１２とを有するリレー駆動ユニットとしての子器１と、子器１に取り付けられるリレー２とからなる。取付部１１は、本体部１２に合成樹脂成形品として一体に設けられている。以下、上下方向は図１を基準とし、図１の左下―右上方向を前後方向と呼び、図１の左上−右下方向を左右方向と呼ぶ。なお、子器１及びリレー２の基本構成並びに動作はそれぞれ従来例の子器５ｂ及びリレー６と共通であるので、共通する構成には同じ符号を付して図示並びに説明を省略する。
【００１８】
詳しく説明すると、リレー２の下面には、前後方向すなわちリレー端子５３に対して制御端子が接触する方向に長い被保持突条２１が突設されている。また、被保持突条２１の左右には、それぞれ２個ずつの被保持突起２１ａが突設されている。さらに、リレー２の上面の後端部には、リレー２の後方へ突出して上下にばね性を有するばね部２２が突設されている。ばね部２２の後端部には、係止爪２２ａが下方へ突設されている。
【００１９】
子器１は、左右方向の幅寸法をリレー２の４個分とされ、リレー端子５３は左右に並べて４組設けられている。取付部１１の上面において各リレー端子５３の前側には、それぞれ前後方向に長く前側に開放された樋状の保持溝１１ｂが設けられている。ねじ挿通穴１１ａは、各保持溝１１ｂの底面にそれぞれ２個ずつ貫設されている。また、取付部１１は、本体部１２の後方へ突出した部位を有し、この部位にもねじ挿通穴１１ａが設けられている。また、各保持溝１１ｂの左右の内面には、それぞれ保持溝１１ｂの底面に隙間を空けて対向する保持突起１１ｃが２個ずつ突設されている。保持突起１１ｃの先端の間隔は、リレー２の被保持突条２１の幅寸法よりも大きくしてある。また、前後に並ぶ保持突起１１ｃの間隔は、リレー２の被保持突起２１ａの前後の幅寸法よりも大きくしてあり、保持突起１１ｃ間の隙間を通して被保持突起２１ａを保持溝１１ｂに出し入れすることができるようになっている。また、本体部１２の上面には、リレー端子５３に対応する位置にそれぞれ係合凹部１２ａを設けてある。
【００２０】
子器１にリレー２を取り付けるには、被保持突条２１を保持溝１１ｂに導入した後、リレー２を子器１に対して後方へスライドさせて制御端子をリレー端子５３に接触導通させる。ここにおいて、リレー２の被保持突起２１ａは子器１の保持突起１１ｃに係止され、リレー２の上方への脱落は防止される。さらに、係合爪２２ａが係合凹部１２ａに係合し、リレー２の前方への脱落も防止される。つまり、係合爪２２ａが係合部であり、係合凹部１２ａが被係合部である。
【００２１】
上記構成によれば、分電盤ＤＢに取り付けられる取付部１１を設けたことにより、従来例のような取付板７を子器１に取り付ける作業が不要となるから、施工性が向上する。
【００２２】
また、保持突起１１ｃ間に隙間を設けてこの隙間から被保持突起２１ａを導入することができるようにしたので、保持突起１１ｃ間に隙間を設けない場合に比べ、リレー２を取り付ける際にスライドさせる幅が小さくなり、取付作業が容易となっている。
【００２３】
（実施形態２）
本実施形態の基本構成は従来例と共通であるので、共通する部分については同じ符号を付して説明を省略する。
【００２４】
図２に示すように、本実施形態の親器３ａは、分電盤ＤＢに取り付けられる取付部４と、従来の親器５ａと同様の構成を有する本体部５とからなる。
【００２５】
詳しく説明すると、取付部４は、それぞれ取付板７の単位取付部７１と同様のねじ挿通穴４３、ねじ挿通切り欠き４４、台座部４５（リレー６を支持するもののみ）、及び係止ばね４６を有する複数個（図では８個）の単位取付部４１を有する。
【００２６】
本体部５は、信号線端子５１と、接続凹部５２と、リレー端子５３と、突出部５４と、電線端子５５と、凹部５１ａ，５５ａとを有する。単位取付部４１は、各接続凹部５２に対して接続凹部５２の前側に１個ずつ設けられている。つまり、係止ばね４６と接続凹部５２とがそれぞれ請求項における保持部であり、リレー６において係止穴６４の下側の部位と接続部６２とがそれぞれ請求項における被保持部である。ここで、取付部４は８個の単位取付部４１の他、突出部５４の前側に突出した部位を有し、この部位にも挿通切り欠き４４が設けられている。
【００２７】
親器３ａを分電盤ＤＢに取り付けるには、ねじ挿通穴４３とねじ挿通切り欠き４４とのうち複数箇所を適宜用い、取付部４を分電盤ＤＢにねじ止めする。
【００２８】
本発明によれば、分電盤ＤＢに取り付けられる取付部４を設けたことにより、従来例のような取付板７を親器３ａに取り付ける作業が不要となるから、施工性が向上する。
【００２９】
なお、図３に示すように、従来の子器５ｂと同様の構成を有する本体部５と、本体部５が有する接続凹部５２に一対一に対応した単位取付部４１を有する取付部４とで子器３ｂを構成してもよい。
【００３０】
さらに、図４や図５のように、本体部５の前後両側に接続凹部５２とリレー端子５３と取付部４とを設けてもよい。図４の例では、突出部５４を他の部位に対して前後両側に突出させて本体部５をＴ字形状としている。この構成を採用すれば、本体部５が前後に倒れ難くなる。
【００３１】
（実施形態３）
本実施形態の基本構成は実施形態２において図３に示した例と共通であるので、共通する構成については同じ符号を付して説明を省略する。
【００３２】
本実施形態の子器３ｂには、図６（ａ）に示すように、接続凹部５２に代えて上下に長く上側に開放された断面矩形状の接続溝５６を左右に並べて４個設け、リレー端子（図示せず）を接続溝５６の底面に設けている。また、接続溝５６の内面の左右に対向する部位からそれぞれ３個の係止突起５６ａを突設している。さらに、リレー６として、接続部６２に代えて上下に長い突条６５が後面に突設され、突条６５の左右両側面に、それぞれ２個ずつの被係止突起６５ａが上下に並べて突設されたものを用いている。子器３ｂにおいて上下に並ぶ係止突起５６ａの間隔は、リレー６の被保持突起６５ａの上下の幅寸法よりも大きくしてあり、係止突起５６ａ間の隙間を通して被保持突起６５ａを接続溝５６に出し入れすることができるようになっている。制御端子は突条６５の後面に設けられている。また、リレー６の制御端子は、後方に弾性的に突出し、下端に近付くほど突出寸法を小さくするように後面が傾斜している。さらに、子器３ｂのリレー端子は、リレー６の制御端子を挟むことなく単純に後方からリレー６の制御端子に接触する平坦な形状としてある。
【００３３】
本実施形態の子器３ｂにリレー６を取り付けるには、まず、上下に並ぶ係止突起５６ａの間を通して図６（ｂ）に示すように被係止突起６５ａを接続溝５６内に導入する。次に、リレー６を子器３ｂに対して下方へスライドさせる。すると、被係止突起６５ａが係止突起５６ａに係止されるとともに係止ばね４６がリレー６の係止穴６４に係止されることにより、リレー６の前方への脱落が防止される。ここにおいて、リレー６の制御端子は子器３ｂのリレー端子に接触導通する。つまり、被係止突起６５ａは被保持部に含まれ、係止突起５６ａは保持部に含まれる。
【００３４】
なお、上記説明では子器３ｂを例に挙げて説明したが、本実施形態の構造を親器３ａに適用してもよい。
【図面の簡単な説明】
【００３５】
【図１】本発明の実施形態１を示す分解斜視図である。
【図２】本発明の実施形態２を示す斜視図である。
【図３】同上の別の形態を示す斜視図である。
【図４】同上の更に別の形態を示す斜視図である。
【図５】同上の別の形態を示す斜視図である。
【図６】本発明の実施形態３を示す斜視図である。
【図７】従来の親器、子器及びリレーを分電盤に取り付けた状態を示す図であり、（ａ）は平面図、（ｂ）は正面図である。
【図８】従来の親器、リレー及び取付板を示す斜視図である。
【図９】従来の子器、リレー及び取付板を示す斜視図である。
【図１０】従来の子器へのリレーの取り付け方を示す説明図である。
【符号の説明】
【００３６】
１，３ｂ  子器
２，６  リレー
３ａ  親器
４，１１  取付部
５，１２  本体部
１１ｂ  保持溝
１１ｃ  保持突起
１２ａ  係合凹部
２１  被保持突条
２１ａ  被保持突起
２２ａ  係合爪
４６  係止ばね
５１  信号線端子
５２  接続凹部
５３  リレー端子
６１  出力端子
６２  接続部
６３  制御端子
６４  係止穴
【図１】
2006331891.tif 000003
【図２】
2006331891.tif 000004
【図３】
2006331891.tif 000005
【図４】
2006331891.tif 000006
【図５】
2006331891.tif 000007
【図６】
2006331891.tif 000008
【図７】
2006331891.tif 000009
【図８】
2006331891.tif 000010
【図９】
2006331891.tif 000011
【図１０】
2006331891.tif 000012